(57)【要約】      （修正有）【課題】インテリジェントターミナル技術分野に適用される、ブルートゥース（登録商標）接続方法、装置、及びインテリジェントターミナルを提供する。【解決手段】端末装置が検索して且つデュアルモードブルートゥース装置と第１ブルートゥースモードの接続関係を確立するというステップ（Ｓ２１）と、デュアルモードブルートゥース装置の標識情報を取得するというステップ（Ｓ２２）と、標識情報に基づいてデュアルモードブルートゥース装置と第２ブルートゥースモードの接続関係を確立するというステップ（Ｓ２３）を含む。デュアルモードブルートゥース装置と端末の間で異なる二種のブルートゥースモードの接続を実現し、接続過程における誤接続の発生を避ける。【選択図】図２
2019186932.tif 000002
【特許請求の範囲】
【請求項１】
端末装置が検索して且つデュアルモードブルートゥース装置と第１ブルートゥースモードの接続関係を確立するというステップと、
前記デュアルモードブルートゥース装置の標識情報を取得するというステップと、
前記標識情報に基づいて前記デュアルモードブルートゥース装置と第２ブルートゥースモードの接続関係を確立するというステップと、を含み、
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである、ことを特徴とするブルートゥース接続方法。
【請求項２】
前記デュアルモードブルートゥース装置の標識情報を取得するというステップは、
前記デュアルモードブルートゥース装置が低消費電力ブルートゥースモードに送信したブロードキャストパケットを取得することと、
前記ブロードキャストパケットに基づいて前記デュアルモードブルートゥース装置の標識情報を取得することとを含む、ことを特徴とする請求項１に記載のブルートゥース接続方法。
【請求項３】
前記第１ブルートゥースモードがクラシックブルートゥースモードである場合に、前記標識情報に基づいて前記デュアルモードブルートゥース装置と第２ブルートゥースモードの接続関係を確立するというステップは、
低消費電力ブルートゥースモードを起動するデュアルモードブルートゥース装置からその標識情報が前記ブロードキャストパケットに基づいて取得した標識情報と同じであるデュアルモードブルートゥース装置を検索し、前記デュアルモードブルートゥース装置にすることと、
前記デュアルモードブルートゥース装置の低消費電力ブルートゥースモードとの接続関係を確立することとを含む、ことを特徴とする請求項２に記載のブルートゥース接続方法。
【請求項４】
前記第１ブルートゥースモードが低消費電力ブルートゥースモードである場合に、前記標識情報に基づいて前記デュアルモードブルートゥース装置と第２ブルートゥースモードの接続関係を確立するというステップは、
クラシックブルートゥースモードを起動するデュアルモードブルートゥース装置からその標識情報が前記ブロードキャストパケットに基づいて取得した標識情報と同じであるデュアルモードブルートゥース装置を検索し、前記デュアルモードブルートゥース装置にすることと、
前記デュアルモードブルートゥース装置のクラシックブルートゥースモードとの接続関係を確立することとを含む、ことを特徴とする請求項２に記載のブルートゥース接続方法。
【請求項５】
前記標識情報は、
前記デュアルモードブルートゥース装置の名称又は／及び、
前記デュアルモードブルートゥース装置がクラシックブルートゥースモードにある場合のクラシックブルートゥースアドレスとを含む、ことを特徴とする請求項１に記載のブルートゥース接続方法。
【請求項６】
前記デュアルモードブルートゥース装置がブルートゥースモードを起動した後、端末装置と第１ブルートゥースモードの接続関係を確立することと、
前記デュアルモードブルートゥース装置の標識情報を前記端末装置に送信することと、
前記標識情報に基づいて前記デュアルモードブルートゥース装置と第２ブルートゥースモード接続関係を確立するように前記端末装置を指示することと、含み、
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである、ことを特徴とするブルートゥース接続方法。
【請求項７】
ブルートゥース接続装置は、
端末装置と、
デュアルモードブルートゥース装置と、を含み、
その中、
前記端末装置は、
端末装置が検索して且つデュアルモードブルートゥース装置と第１ブルートゥースモード接続関係を確立するための第１接続モジュールと、
前記デュアルモードブルートゥース装置の標識情報を取得するための取得モジュールと、
前記標識情報に基づいて前記デュアルモードブルートゥース装置と第２ブルートゥースモード接続関係を確立するための第２接続モジュールと、を含み、
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つであり、
前記デュアルモードブルートゥース装置は、
デュアルモードブルートゥース装置がブルートゥースモードを起動した後、端末装置と第１ブルートゥースモードの接続関係を確立するためのブルートゥースモード起動モジュールと、
前記デュアルモードブルートゥース装置の標識情報を前記端末装置に送信するための送信モジュールと、
前記標識情報に基づいて前記デュアルモードブルートゥース装置と第２ブルートゥースモード接続関係を確立するように前記端末装置を指示するための指示モジュールと、を含み、
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである、ことを特徴とするブルートゥース接続装置。
【請求項８】
前記取得モジュールは、
前記デュアルモードブルートゥース装置が低消費電力ブルートゥースモードで送信したブロードキャストパケットを取得するためのブロードキャストパケット送信ユニットと、
前記ブロードキャストパケットに基づいて前記デュアルモードブルートゥース装置の標識情報を取得するための標識情報取得ユニットとを含む、ことを特徴とする請求項７に記載のブルートゥース接続装置。
【請求項９】
前記第１ブルートゥースモードがクラシックブルートゥースモードである場合に、前記第２接続モジュールは、
すでに接続されたクラシックブルートゥースモードに基づいて前記デュアルモードブルートゥース装置の標識情報を取得し、前記デュアルモードブルートゥース装置の標識情報が前記ブロードキャストパケットに基づいて取得した標識情報と同じかどうかを比較と判断するための比較ユニットと、
両者が合致する場合に前記デュアルモードブルートゥース装置と低消費電力ブルートゥースモードの接続関係を確立するための関係確立ユニットとを含む、ことを特徴とする請求項８に記載のブルートゥース接続装置。
【請求項１０】
メモリと、
プロセッサと、
前記メモリに記憶されてかつ前記プロセッサに実行されたコンピュータプログラムと、を含み、
前記プロセッサが前記コンピュータプログラムを実行する際に請求項１から請求項５のいずれか一項又は請求項６に記載の前記方法におけるステップを実現する、ことを特徴とするインテリジェントターミナル。
【請求項１１】
コンピュータプログラムを記憶し、
前記コンピュータプログラムがプロセッサに実行される際に請求項１から請求項５のいずれか一項又は請求項６に記載の前記方法におけるステップを実現する、ことを特徴とするコンピュータ可読記憶媒体。
【発明の詳細な説明】
【技術分野】
【０００１】
本発明は、インテリジェントターミナル技術分野に属し、特にブルートゥース接続方法、装置、及びインテリジェントターミナルに関する。
【背景技術】
【０００２】
デュアルモードブルートゥース装置は、クラシックブルートゥースでも低消費電力ブルートゥースでもサポートする装置である。他の端末は、デュアルモードブルートゥース装置とブルートゥース接続を確立する際に同時にクラシックブルートゥース接続及び低消費電力ブルートゥース接続を確立することができる。二種の異なるモードのブルートゥース接続は、互いに独立する。ある端末は、デュアルモードブルートゥース装置と同時にクラシックブルートゥース及び低消費電力ブルートゥースに接続される際、ブルートゥース接続の開放性のため、誤接続が発生する可能性が存在する。つまり、該端末装置は、他のブルートゥース装置（クラシックブルートゥース装置と、低消費電力ブルートゥース装置と、を含む）を見付けてかつ接続されることができる。該ブルートゥース装置も同時に他の端末に見付けられて且つ接続されることができる。
【０００３】
例えば、端末Ａがデュアルモードブルートゥース装置Ａとクラシックブルートゥース接続及び低消費電力ブルートゥース接続を行う必要がある場合、端末Ａ及びデュアルモードブルートゥース装置Ａは、ブルートゥースモードを起動した後にクラシックブルートゥース接続を完成したが、ブルートゥース装置Ｂと低消費電力ブルートゥース接続を完成し（図１に示されている）、又は他の誤接続が発生する。
【発明の概要】
【発明が解決しようとする課題】
【０００４】
そこで、本発明の実施例は、従来の技術に端末がデュアルモードブルートゥース装置と二種のモードの接続を行う際に誤接続が発生しやすくなるという問題を解決するために、ブルートゥース接続方法、装置、及びインテリジェントターミナルを提供することにある。
【課題を解決するための手段】
【０００５】
本発明の実施例の第１の態様では、ブルートゥースの接続方法を提供した。前記ブルートゥースの接続方法は、
端末装置が検索して且つデュアルモードブルートゥース装置と第１ブルートゥースモードの接続関係を確立するというステップと、
前記デュアルモードブルートゥース装置の標識情報を取得するというステップと、
前記標識情報に基づいて前記デュアルモードブルートゥース装置と第２ブルートゥースモード接続関係を確立するというステップと、を含む。
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【０００６】
本発明の実施例の第２態様では、ブルートゥースの接続方法を提供した。前記ブルートゥースの接続方法は、
デュアルモードブルートゥース装置がブルートゥースモードを起動した後、端末装置と第１ブルートゥースモードの接続関係を確立することと、
前記デュアルモードブルートゥース装置の標識情報を前記端末装置に送信することと、
前記標識情報に基づいて前記デュアルモードブルートゥース装置と第２ブルートゥースモードの接続関係を確立するように前記端末装置を指示することと、を含む。
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【０００７】
本発明の実施例の第３態様では、ブルートゥース接続装置を提供した。前記ブルートゥース接続装置は、
端末装置と、
デュアルモードブルートゥース装置と、を含む。
その中、
前記端末装置は、
端末装置が検索して且つデュアルモードブルートゥース装置と第１ブルートゥースモード接続関係を確立するための第１接続モジュールと、
前記デュアルモードブルートゥース装置の標識情報を取得するための取得モジュールと、
前記標識情報に基づいて前記デュアルモードブルートゥース装置と第２ブルートゥースモード接続関係を確立するための第２接続モジュールと、を含む。
【０００８】
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【０００９】
前記デュアルモードブルートゥース装置は、
デュアルモードブルートゥース装置がブルートゥースモードを起動した後、端末装置と第１ブルートゥースモードの接続関係を確立するためのブルートゥースモード起動モジュールと、
前記デュアルモードブルートゥース装置の標識情報を前記端末装置に送信するための送信モジュールと、
前記標識情報に基づいて前記デュアルモードブルートゥース装置と第２ブルートゥースモード接続関係を確立するように前記端末装置を指示するための指示モジュールと、を含む。
【００１０】
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【００１１】
本発明の実施例の第４態様では、提供したインテリジェントターミナルは、
メモリと、
プロセッサと、
前記メモリに記憶されてかつ前記プロセッサに作動されたコンピュータプログラムと、を含む。
前記プロセッサが前記コンピュータプログラムを実行する際に前記ブルートゥース接続方法中のいずれか一項に記載の前記方法におけるステップを実現する。
【００１２】
本発明の実施例の第５態様では、パソコン可読記憶媒体を提供した。前記パソコン可読記憶媒体にコンピュータプログラムが記憶されている。
前記コンピュータプログラムが前記プロセッサに実行される際に前記ブルートゥース接続方法中のいずれか一項に記載の前記方法におけるステップを実現する。
【発明の効果】
【００１３】
本発明が提供した実施例において、端末装置は、デュアルモードブルートゥース装置とクラシックブルートゥース及び低消費電力ブルートゥースの二種の接続関係をそれぞれ確立する際、検索して且つデュアルモードブルートゥース装置と第１ブルートゥースモード接続関係を確立し、次いで、接続されたデュアルモードブルートゥース装置の標識情報を取得し、前記標識情報に基づいて前記デュアルモードブルートゥース装置と第２ブルートゥースモード接続関係を確立する。そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中別の一つである。この過程において、端末装置は、デュアルモードブルートゥース装置と第１ブルートゥースモード接続関係を確立した後、接続されたデュアルモードブルートゥース装置の標識情報に基づいて第２ブルートゥースモードを起動した多数の装置から接続されたデュアルモードブルートゥース装置が起動した第２ブルートゥースモードの関連情報を正確に確定することができる。さらに、同一のデュアルモードブルートゥース装置と異なる二種のブルートゥースモードの接続を完成し、接続過程における誤接続の発生を避ける。
【図面の簡単な説明】
【００１４】
本発明の実施例における技術的解決手段をより明らかにするために、以下、実施例又は従来技術の説明に使用する必要がある図面を簡単に説明する。以下の説明における図面は、本発明のいくつかの実施例に過ぎない。当業者であれば、創造的な労働をせずに、これらの図面により他の図面を獲得することができる。
【００１５】
【図１】は本発明による端末装置がデュアルモードブルートゥース装置に誤接続されているシーンの１つの概略図である。
【図２】は本発明の第１実施例によるブルートゥース接続方法のフローチャートである。
【図３】は本発明の第２実施例によるブルートゥース接続方法のフローチャートである。
【図４】は本発明の第３実施例によるブルートゥース接続方法の交互図である。
【図５】は本発明の第４実施例によるブルートゥース接続装置の概略図である。
【図６】は本発明の第５実施例によるインテリジェントターミナルの概略図である。
【発明を実施するための形態】
【００１６】
以下の説明において、本発明の実施例を深く理解するために、特定システム構造、技術等の具体的な細部を提出し、これは、本発明を解釈するためのものに過ぎず、本発明を限定するためのものではない。当業者であれば、これらの具体的な詳細を備えない他の実施例でも本発明を実現することができることを理解すべきである。他の場合において、必要がない細部が本発明の説明を妨害しないために、周知のようなシステム、装置、回路及び方法に対する詳細な説明を省略する。
【００１７】
本発明が提供した実施例において、端末装置は、デュアルモードブルートゥース装置とクラシックブルートゥース及び低消費電力ブルートゥースの二種の接続関係をそれぞれ確立する際、検索して且つデュアルモードブルートゥース装置と第１ブルートゥースモード接続関係を確立し、接続されたデュアルモードブルートゥース装置の標識情報を取得し、前記標識情報に基づいて前記デュアルモードブルートゥース装置と第２ブルートゥースモード接続関係を確立する。そのうち、前記第１ブルートゥースモードは、クラシックブルートゥースモードと、又は低消費電力ブルートゥースモードと、を含む。前記第２ブルートゥースモードは、低消費電力ブルートゥースモードと、又はクラシックブルートゥースモードと、対応的に含む。
本発明の目的、技術的解決手段及び利点をより明らかにするために、以下、具体的な実施例により本発明をさらに詳細に説明する。
【００１８】
実施例１：
図２は本発明の第１実施例による提供したブルートゥース接続方法を実現するフローチャートである。詳細は、以下のとおりである：
ステップＳ２１は、端末装置が検索して且つデュアルモードブルートゥース装置と第１ブルートゥースモードの接続関係を確立することである。
【００１９】
本発明が提供した実施例において、端末装置は、一定範囲内にブルートゥースモードを起動したデュアルモードブルートゥース装置を検索して且つ前記デュアルモードブルートゥース装置が起動したブルートゥースモードに基づいてそれと第１ブルートゥースモードの接続関係を確立する。
そのうち、第１ブルートゥースモードは、クラシックブルートゥースモードと、又は低消費電力ブルートゥースモードと、を含む。つまり、デュアルモードブルートゥース装置が現在起動したブルートゥースモードは、クラシックブルートゥースモードでもよく、また低消費電力ブルートゥースモードでもよい。前記端末装置は、スマートフォンと、ｉＰａｄと、ｉＰｏｄと、パーソナルデジタルアシスタント（Ｐｅｒｓｏｎａｌ  Ｄｉｇｉｔａｌ  Ａｓｓｉｓｔａｎｔ，ＰＤＡ）と、を含む。前記デュアルモードブルートゥース装置は、インテリジェントウェアラブルデバイス（インテリジェントリストバンド）と、心拍数測定装置と、を含む。
【００２０】
ステップＳ２２は、前記デュアルモードブルートゥース装置の標識情報を取得する。
該ステップにおいて、端末装置がデュアルモードブルートゥース装置と第１ブルートゥースモードの接続関係を確立した後、該デュアルモードブルートゥース装置の標識情報を取得する。前記標識情報は、該デュアルモードブルートゥース装置に対して唯一標識を形成する情報、例えば、デュアルモードブルートゥース装置の名称又は／及びデュアルモードブルートゥース装置がクラシックブルートゥースモードにある場合のクラシックブルートゥースアドレス等を指す。
【００２１】
任意選択では、本発明が提供した別の一つの実施例において、前記デュアルモードブルートゥース装置の標識情報を取得するという前記ステップは、前記デュアルモードブルートゥース装置が低消費電力ブルートゥースモードに送信したブロードキャストパケットを取得することと、前記ブロードキャストパケットに基づいて前記デュアルモードブルートゥース装置の標識情報を取得することと、を含む。
【００２２】
該ステップにおいて、デュアルモードブルートゥース装置は、低消費電力ブルートゥースモードを起動した後に外へブロードキャストパケットを送信し、前記ブロードキャストパケットに該デュアルモードブルートゥース装置の標識情報を添加する。端末装置は、前記ブロードキャストパケットを取得する同時に、該デュアルモードブルートゥース装置の標識情報を取得する。
【００２３】
ステップＳ２３は、前記標識情報に基づいて前記デュアルモードブルートゥース装置と第２ブルートゥースモードの接続関係を確立することである。そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【００２４】
本発明の実施例が提供したブルートゥース接続方法において、端末装置は、デュアルモードブルートゥース装置の標識情報に基づいて該デュアルモードブルートゥース装置が起動した第２ブルートゥースモードを検索し、それと接続関係を確立する。この過程において、第１ブルートゥースモードがクラシックブルートゥースモードである場合、第２ブルートゥースモードは、低消費電力ブルートゥースモードである。対応的に、第１ブルートゥースモードが低消費電力ブルートゥースモードである場合、前記第２ブルートゥースモードは、クラシックブルートゥースモードである。
【００２５】
本発明が提供した実施例において、端末装置は、デュアルモードブルートゥース装置とクラシックブルートゥース及び低消費電力ブルートゥースの二種の接続関係をそれぞれ確立する際、検索して且つデュアルモードブルートゥース装置と第１ブルートゥースモードの接続関係を確立し、接続されたデュアルモードブルートゥース装置の標識情報を取得し、前記標識情報に基づいてそれと第２ブルートゥースモードの接続関係を確立する。そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。この過程において、端末装置は、デュアルモードブルートゥース装置と第１ブルートゥースモードの接続関係を確立した後、接続されたデュアルモードブルートゥース装置の標識情報に基づいて、第２ブルートゥースモードを起動した多くの装置からすでに接続されたデュアルモードブルートゥース装置が起動した第２ブルートゥースモードの関連情報を正確に確定することができる。さらに、同一のデュアルモードブルートゥース装置の異なる二種のブルートゥースモードとの接続を完成し、接続過程における誤接続の発生を避ける。
【００２６】
任意選択では、本発明が提供した別の一つの実施例において、前記第１ブルートゥースモードがクラシックブルートゥースモードである場合に、前記標識情報に基づいて前記デュアルモードブルートゥース装置と第２ブルートゥースモードの接続関係を確立するというステップは、
低消費電力ブルートゥースモードを起動するデュアルモードブルートゥース装置からその標識情報が前記ブロードキャストパケットに基づいて取得した標識情報と同じであるデュアルモードブルートゥース装置を検索し、前記デュアルモードブルートゥース装置にすることと、
前記デュアルモードブルートゥース装置と低消費電力ブルートゥースモードの接続関係を確立することと、を含む。
【００２７】
該ステップにおいて、端末装置は、最初デュアルモードブルートゥース装置とクラシックブルートゥースモード接続を確立する場合、デュアルモードブルートゥース装置と低消費電力ブルートゥースモード接続を確立する際、既に接続モードにあったクラシックブルートゥースに基づいて該デュアルモードブルートゥース装置の標識情報を検索し、次いで低消費電力ブルートゥースモードを起動するデュアルモードブルートゥース装置からその標識情報が前記ブロードキャストパケットに基づいて取得した標識情報と同じであるデュアルモードブルートゥース装置を探し、前記デュアルモードブルートゥース装置にする。さらに、端末装置と、該デュアルモードブルートゥース装置との間の低消費電力ブルートゥースモードの接続を確立する。
【００２８】
例えば、デュアルモードブルートゥース装置が心拍数ブルートゥースイヤホン（イヤホンを略称する）であり、端末装置がスマートフォンである場合、該イヤホンがクラシックブルートゥース（電話、音楽放送等の機能）だけではなく、また心拍数伝送の低消費電力ブルートゥースモードプロトコルをサポートする。
【００２９】
ユーザがブルートゥースイヤホンをオンにした後、該イヤホンは、クラシックブルートゥースモードの被検索状態にある。スマートフォンは、ブルートゥースメニュから一定範囲内にクラシックブルートゥースモード装置を起動した、該イヤホンが検索された後にそれとクラシックブルートゥース接続を確立する。その後に該イヤホンは、ブルートゥース低消費電力（Ｂｌｕｅｔｏｏｔｈ  Ｌｏｗ  Ｅｎｅｒｇｙ，ＢＬＥ）のブロードキャストパケットの送信により低消費電力ブルートゥースモードの被検索状態にある。同時に、該イヤホンのクラシックブルートゥースアドレスが該ブロードキャストパケット中に添加されている。スマートフォンの心拍数アプリケーションは、一定範囲内に低消費電力ブルートゥースを起動した装置を検索し、該イヤホンを見付けてかつブロードキャストパケット中のイヤホンのクラシックブルートゥースアドレスを取得する。
【００３０】
スマートフォンの心拍数アプリケーションは、システムにより既に接続されたクラシックブルートゥースアドレスを取得し、かつ該アドレスをブロードキャストパケット中のアドレスとマッチングする。合致する場合、該アプリケーションは、検索済みの該低消費電力ブルートゥース装置、つまりにクラシックブルートゥース接続を確立したデュアルモードブルートゥース装置に接続され、それによってスマートフォンとイヤホンとの間の二種のモードのブルートゥース接続を完成する。
【００３１】
任意選択では、本発明が提供した別の一つの実施例において、前記第１ブルートゥースモードが低消費電力ブルートゥースモードである場合に、前記標識情報に基づいて前記デュアルモードブルートゥース装置と第２ブルートゥースモードの接続関係を確立するというステップは、
クラシックブルートゥースモードを起動するデュアルモードブルートゥース装置からその標識情報が前記ブロードキャストパケットに基づいて取得した標識情報と同じであるデュアルモードブルートゥース装置を検索し、前記デュアルモードブルートゥース装置にすることと、
前記デュアルモードブルートゥース装置とクラシックブルートゥースモードの接続関係を確立することと、を含む。
【００３２】
以下、端末装置がスマートフォンであり、デュアルモードブルートゥース装置が心拍数ブルートゥースイヤホンである場合を例として、上記の過程を詳細に説明する：
イヤホンを起動してＢＬＥのブロードキャストパケットの送信により低消費電力ブルートゥースモードの被検索状態にする。同時に、該イヤホンのクラシックブルートゥースアドレスが該ブロードキャストパケット中に添加される。スマートフォンは、イヤホンと低消費電力ブルートゥースモードの接続を確立し、ブロードキャストパケット中のイヤホンのクラシックブルートゥースアドレスを取得する。
【００３３】
スマートフォンの心拍数アプリケーションに、接続された低消費電力ブルートゥース装置の名称が表示され、ブロードキャストパケット中のクラシックブルートゥースアドレスに基づき、スマートフォンのブルートゥースメニュからブロードキャストパケット中のクラシックブルートゥースアドレスと同じ端末を検索し、該イヤホンを見付け、低消費電力ブルートゥースに接続された装置の名称及び取得されたブロードキャストパケット中のイヤホンのクラシックブルートゥースアドレスに基づいてクラシックブルートゥース装置、つまりデュアルモードブルートゥース装置中のクラシックブルートゥースを判断及び選択し、クラシックブルートゥース接続を確立し、最後にスマートフォンとイヤホンとの間の二種のモードのブルートゥース接続を実現する。
【００３４】
本発明が提供した実施例において、端末装置は、デュアルモードブルートゥース装置中の一種のブルートゥースモードに接続された場合、アプリケーションが受信された標識情報に基づき、該デュアルモードブルートゥース装置中の別の一種のブルートゥースモードに自動的に接続され、添付の他の装置に接続しないように保証することができる。
【００３５】
実施例２：
上記の実施例に記述したブルートゥースの接続方法に対応し、本発明の別の一つの実施例による提供したブルートゥース接続方法は、図３に示され、以下を含む：
ステップＳ３１は、デュアルモードブルートゥース装置がブルートゥースモードを起動した後、端末装置と第１ブルートゥースモードの接続関係を確立することである。
【００３６】
本発明の実施例において、デュアルモードブルートゥース装置がブルートゥースモードを起動した後、端末装置は、一定範囲に存在しているブルートゥースを検索し、デュアルモードブルートゥース装置と第１ブルートゥースモードの接続関係を確立する。
そのうち、第１ブルートゥースモードは、クラシックブルートゥースモードと、又は低消費電力ブルートゥースモードと、を含む。つまり、デュアルモードブルートゥース装置が現在起動したブルートゥースモードは、クラシックブルートゥースモードでもよく、また低消費電力ブルートゥースモードでもよい。前記端末装置は、スマートフォンと、ｉＰａｄと、ｉＰｏｄと、パーソナルデジタルアシスタント（Ｐｅｒｓｏｎａｌ  Ｄｉｇｉｔａｌ  Ａｓｓｉｓｔａｎｔ，ＰＤＡ）等と、を含む。前記デュアルモードブルートゥース装置は、インテリジェントウェアラブルデバイス（インテリジェントリストバンド）と、心拍数測定装置と、を含む。
【００３７】
ステップＳ３２は、前記デュアルモードブルートゥース装置の標識情報を前記端末装置に送信することである。
該ステップにいて、デュアルモードブルートゥース装置の標識情報を前記端末装置に送信することは、具体的な実施方式が実施例１に既に説明されたため、ここに再度の説明を省略する。
ステップＳ３３は、標識情報に基づいて前記デュアルモードブルートゥース装置と第２ブルートゥースモードの接続関係を確立するように前記端末装置を指示することである。そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【００３８】
本発明が提供した実施例において、端末装置がデュアルモードブルートゥース装置の標識情報を受信した後、指示に基づいて標識情報に対して比較と判断を行い、確立された第２ブルートゥースモード接続先が第１ブルートゥースモード接続先と同一デュアルモードブルートゥース装置であることを確保する。
【００３９】
該ステップにおけるブルートゥース接続方法は、実施例１における具体的な実現過程に対応するため、ここに再度の説明を省略する。本実施例において、端末装置は、デュアルモードブルートゥース装置と第１ブルートゥースモードの接続関係を確立した後、接続されたデュアルモードブルートゥース装置の標識情報に基づいて第２ブルートゥースモードを起動した多くの装置からすでに接続されたデュアルモードブルートゥース装置が起動した第２ブルートゥースモードの関連情報を正確に確定することができる。さらに、同一のデュアルモードブルートゥース装置の異なる二種のブルートゥースモードとの接続を完成し、接続過程における誤接続の発生を避ける。
【００４０】
実施例３：
図４は本発明の第３実施例による提供したブルートゥース接続方法の交互図である。詳細は、以下のとおりである：
ステップＳ４１において、デュアルモードブルートゥース装置又は端末がブルートゥースの接続を発した後、両方を第１ブルートゥースモードで接続する。その後のステップＳ４２において、デュアルモードブルートゥース装置は、ＢＬＥブロードキャストパケットの送信により端末にその自身の標識情報を送信する。端末は、前記標識情報を受信した後にステップＳ４３に標識情報を比較と判断し、第１ブルートゥースモードと同一装置に属する第２ブルートゥースモードの送信元を見付け、両者の接続を完成し、最後ステップＳ４４に端末と同一デュアルモードブルートゥース装置との間の二種の異なるブルートゥースモード接続を実現する。この過程において、端末装置は、デュアルモードブルートゥース装置と第１ブルートゥースモードの接続関係を確立した後、接続されたデュアルモードブルートゥース装置の標識情報に基づいて第２ブルートゥースモードを起動した多くの装置からすでに接続されたデュアルモードブルートゥース装置が起動した第２ブルートゥースモードの関連情報を正確に確定することができる。さらに、同一のデュアルモードブルートゥース装置の異なる二種のブルートゥースモードとの接続を完成し、接続過程における誤接続の発生を避ける。
【００４１】
実施例４：
上記の上記の実施例に記述したブルートゥース接続方法に対応し、図５は、本発明の実施例による提供したブルートゥース接続装置の概略図を示し、説明しやすいために、本発明の実施例に関連する分部のみを示している。
【００４２】
図５に示されているように、該ブルートゥース接続装置は、端末装置５１と、デュアルモードブルートゥース装置５２と、を含む。
そのうち、前記端末装置５１は、
端末装置が検索して且つデュアルモードブルートゥース装置と第１ブルートゥースモードの接続関係を確立するための第１接続モジュール５１１と、
前記デュアルモードブルートゥース装置の標識情報を取得するための取得モジュール５１２と、
前記標識情報に基づいて前記デュアルモードブルートゥース装置と第２ブルートゥースモード接続関係を確立するための第２接続モジュール５１３と、を含む。
【００４３】
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【００４４】
前記デュアルモードブルートゥース装置５２は、
デュアルモードブルートゥース装置がブルートゥースモードを起動した後、端末装置と第１ブルートゥースモードの接続関係を確立するためのブルートゥースモード起動モジュール５２１と、
前記デュアルモードブルートゥース装置の標識情報を前記端末装置に送信するための送信モジュール５２２と、
前記標識情報に基づいて前記デュアルモードブルートゥース装置と第２ブルートゥースモードの接続関係を確立するように前記端末装置を指示するための指示モジュール５２３と、を含む。
【００４５】
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【００４６】
さらに、前記取得モジュール５１２は、
前記デュアルモードブルートゥース装置が低消費電力ブルートゥースモードで送信したブロードキャストパケットを取得するためのブロードキャストパケット送信ユニットと、
前記ブロードキャストパケットに基づいて前記デュアルモードブルートゥース装置の標識情報を取得するための標識情報取得ユニットと、を含む。
【００４７】
さらに、前記第１ブルートゥースモードがクラシックブルートゥースモードである場合に、前記第２接続モジュール５１３は、
すでに接続されたクラシックブルートゥースモードに基づいて前記デュアルモードブルートゥース装置の標識情報を取得し、前記デュアルモードブルートゥース装置の標識情報が前記ブロードキャストパケットに基づいて取得した標識情報と同じかどうかを比較と判断するための比較ユニットと、
両者が合致する場合に前記デュアルモードブルートゥース装置との低消費電力ブルートゥースモードの接続関係を確立するための関係確立ユニットと、を含む。
【００４８】
さらに、前記第１ブルートゥースモードが低消費電力ブルートゥースモードである場合に、前記第２接続モジュール５１３は、また、
前記ブロードキャストパケットに基づいて取得した標識情報を呼び出すための呼び出しユニットと、
クラシックブルートゥースモードを起動したインテリジェントターミナルから標識情報が前記ブロードキャストパケットに基づいて取得した標識情報と同じインテリジェントターミナルを検索し、該インテリジェントターミナルが前記デュアルモードブルートゥース装置であり、前記デュアルモードブルートゥース装置とクラシックブルートゥースモードの接続関係を確立するための検索ユニットと、を含む。
【００４９】
さらに、前記標識情報は、前記デュアルモードブルートゥース装置の名称又は／及び前記デュアルモードブルートゥース装置がクラシックブルートゥースモードにある場合のクラシックブルートゥースアドレスと、を含む。
上記の実施例における各ステップの番号の大さは、実行の順番を意味せず、各過程の実行の順番がその機能及び内在論理で確定され、本発明の実施例の実施過程を限定するものではないと理解すべきである。
【００５０】
実施例５：
図６は本発明の第５実施例による提供したインテリジェントターミナルの概略図である。図６に示されているように、該実施例のインテリジェントターミナル６は、
メモリ６１と、
プロセッサ６０と、
前記メモリ６１に記憶されかつ前記プロセッサ６０に実行されたコンピュータプログラム６２と、を含む。
【００５１】
前記プロセッサ６０が前記コンピュータプログラム６２を実行する際に上記のそれぞれブルートゥース接続方法の実施例中のステップ、例えば図２に示されているステップＳ２１からＳ２３を実現する。又は、前記プロセッサ６０が前記コンピュータプログラム６２を実行する際に上記の各装置の実施例中の各モジュール／ユニットの機能、例えば図５に示されているモジュール５１１から５１３及びモジュール５２１から５２３の機能を実現する。
【００５２】
例示的に、前記コンピュータプログラム６２は、一つ又は複数のモジュール／ユニットに分けられてもよい。前記一つ又は複数のモジュール／ユニットは、本発明の機能を実現するように前記メモリ６１に記憶され、前記プロセッサ６０に実行され、特定機能を実現することができる一連のコンピュータプログラムコマンドセグメントであってもよい。該コマンドセグメントは、前記インテリジェントターミナル６内の前記コンピュータプログラム６２の実行過程を説明するためのものである。例えば、前記コンピュータプログラム６２は、端末装置及びデュアルモードブルートゥース装置と分けられても良い。
【００５３】
そのうち、前記端末装置は、
端末装置が検索して且つデュアルモードブルートゥース装置と第１ブルートゥースモード接続関係を確立するための第１接続モジュールと、
前記デュアルモードブルートゥース装置の標識情報を取得するための取得モジュールと、
前記標識情報に基づいて前記デュアルモードブルートゥース装置と第２ブルートゥースモードの接続関係を確立するための第２接続モジュールと、を含む。
【００５４】
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【００５５】
前記デュアルモードブルートゥース装置は、
デュアルモードブルートゥース装置がブルートゥースモードを起動した後、端末装置と第１ブルートゥースモードの接続関係を確立するためのブルートゥースモード起動モジュールと、
前記デュアルモードブルートゥース装置の標識情報を前記端末装置に送信するための送信モジュールと、
前記標識情報に基づいて前記デュアルモードブルートゥース装置と第２ブルートゥースモード接続関係を確立するように前記端末装置を指示するための指示モジュールと、を含む。
【００５６】
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである。
【００５７】
さらに、前記取得モジュールは、
前記デュアルモードブルートゥース装置が低消費電力ブルートゥースモードで送信したブロードキャストパケットを取得するためのブロードキャストパケット送信ユニットと、
前記ブロードキャストパケットに基づいて前記デュアルモードブルートゥース装置の標識情報を取得するための標識情報取得ユニットと、を含む。
【００５８】
さらに、前記第１ブルートゥースモードがクラシックブルートゥースモードである場合に、前記第２接続モジュールは、
すでに接続されたクラシックブルートゥースモードに基づいて前記デュアルモードブルートゥース装置の標識情報を取得し、前記デュアルモードブルートゥース装置の標識情報が前記ブロードキャストパケットに基づいて取得した標識情報と同じかどうかを比較と判断するための比較ユニットと、
両者が合致する場合に前記デュアルモードブルートゥース装置との低消費電力ブルートゥースモード接続関係を確立するための関係確立ユニットと、を含む。
【００５９】
さらに、前記第１ブルートゥースモードが低消費電力ブルートゥースモードである場合に、前記第２接続モジュールは、また、
前記ブロードキャストパケットに基づいて取得した標識情報を呼び出しするための呼び出しユニットと、
クラシックブルートゥースモードを起動したインテリジェントターミナルから標識情報が前記ブロードキャストパケットに基づいて取得した標識情報と同じインテリジェントターミナルを検索し、該インテリジェントターミナルが前記デュアルモードブルートゥース装置であり、前記デュアルモードブルートゥース装置とのクラシックブルートゥースモードの接続関係を確立するための検索ユニットと、を含む。
【００６０】
さらに、前記標識情報は、前記デュアルモードブルートゥース装置の名称又は／及び前記デュアルモードブルートゥース装置がクラシックブルートゥースモードにある場合のクラシックブルートゥースアドレスと、を含む。
前記インテリジェントターミナルは、メモリ６１と、プロセッサ６０と、を含むが、これらに限定されていない。当業者であれば、図６がインテリジェントターミナル６の例示するためものに過ぎず、ンテリジェントターミナル６を限定するためのものではない。図より多い又は少ない部品を含んでもよく、又はある部品を組合せてもよく、又は異なる部品であってもよい。例えば、前記インテリジェントターミナルは、入力装置、出力装置、インタネットアクセス装置、バス等を含むことを理解されたい。
【００６１】
プロセッサ６０は、中央処理ユニット（Ｃｅｎｔｒａｌ  Ｐｒｏｃｅｓｓｉｎｇ  Ｕｎｉｔ，ＣＰＵ）だけではなく、また汎用プロセッサ、デジタル信号プロセッサ（Ｄｉｇｉｔａｌ  Ｓｉｇｎａｌ  Ｐｒｏｃｅｓｓｏｒ，ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）又は他のプログラマブルロジックデバイス、ディスクリートゲート又はトランジスタロジックデバイス、ディスクリートハードウェアコンポーネント等であってもよい。汎用プロセッサは、マイクロプロセッサ又は任意の通常プロセッサ等であってもよい。
【００６２】
前記メモリ６１は、前記インテリジェントターミナル６の内部記憶ユニット、例えば、インテリジェントターミナル６のハードディスク又はメモリであってもよい。前記メモリ６１は、また前記インテリジェントターミナル６の外部記憶装置、例えば、前記インテリジェントターミナル６に配置されたプラグインハードディスク、スマートメモリカード（Ｓｍａｒｔ  Ｍｅｄｉａ  Ｃａｒｄ，ＳＭＣ）、セキュアデジタルカード（Ｓｅｃｕｒｅ  Ｄｉｇｉｔａｌ，ＳＤ）、フラッシュカード（Ｆｌａｓｈ  Ｃａｒｄ）等であってもよい。さらに、前記メモリ６１は、前記インテリジェントターミナル６の内部記憶ユニットだけではなく、また外部記憶装置を含んでも良い。前記メモリ６１は、前記コンピュータプログラム及び前記インテリジェントターミナルに必要なプログラム及びデータを記憶するためのものである。前記メモリ６１は、一時的に既に出力した又は出力しようとするデータを記憶することに用いられても良い。
【００６３】
当業者であれば、記述しやすく、簡単にするために、上記の各機能ユニット、モジュールに対する区分のみを例にする。実際応用において、必要に応じて上記の機能の配分は異なる機能ユニット、モジュールによって完成させる。つまり、前記装置の内部構造を異なる機能のユニット、モジュールに分け、上記説明した全部又は一部の機能を実現する。実施例における各機能ユニット、モジュールは、一つの処理ユニット内に集積してもよく、また各ユニットが単独で物理的に存在してもよく、また二つ又は二つ以上のユニットが一つのユニット中に集積してもよい。上記の集積されたユニットは、ハードウェアの形式で実現してもよく、またソフトウェアの形式で実現してもよい。また、各機能ユニット、モジュールの具体的な名称は、区分しやすいのものに過ぎず、本発明の保護範囲を制限するためのものではないことが理解すべきである。上記のシステム中のユニット、モジュールの具体的な作業過程について、前記方法の上記の実施例中の対応過程を参照でき、ここに再度の説明を省略する。
上記の実施例において、各実施例に対する説明はそれぞれ重要点があり、ある実施例に詳細に説明又は記載されていない部分は、他の実施例の関連説明を参照にしてもよい。
【００６４】
当業者であれば、、本発明に開示された実施例に説明された各例示のユニット及びアルゴリズムステップを結合し、電子ハードウェア、又はコンピュータソフトウェアと電子ハードウェアとの結合により実現することができるという点が理解すべきである。これらの機能はハードウェア方式かソフトウェア方式かで実行することは、技術的解決手段の特定応用及び設計制約条形に決められている。当業者が各特定の応用に対して異なった方法で説明された機能を実現することができるが、このような実現は本発明の範囲を超えるものと見なすべきではない。
【００６５】
本発明が提供した実施例において、掲示された装置／端末装置、及び方法は別の方式でも実現することができる。以上説明した装置／端末装置の実施例は例示的なものに過ぎない。例えば、前記モジュール又はユニットの分割は、論理機能上の分割に過ぎない。実際に使用する際に他の分割方式があってもよい。例えば、複数のユニット又はモジュールは別のシステムに結合又は集積してもよい。また、いくつかの特徴は無視、又は実行しなくてもよい。そのほか、表示又は検討された相互間のカップリング又は直接カップリング又は通信接続はいくつかのインターフェース、。装置又はユニットの間接カップリング又は通信接続でもよく、電気的で、機械的で又は他の形式であってもよい。
【００６６】
分離部品として説明されたユニットは物理的分離又は非物理的分離であってもよい。ユニットとして表示された部品は物理的ユニット又は非物理的ユニットであってもよい。つまり、ある場所に位置してもよく、また複数のネットワークユニットに分布してもよい。実際の必要に応じて一部又は全部のユニットを選択して本実施例の目的を実現することができる。
【００６７】
また、本発明の各実施例における各機能ユニットは一つの処理ユニットに集積してもよく、一つのユニットとして単独で物理的に存在してもよく、また二つ又は二つ以上のユニットが一つのユニットに集積してもよい。上記の集積ユニットは、ハードウェアの形式で実現してもよく、またソフトウェア機能ユニットの形式で実現してもよい。
【００６８】
前記集積モジュール／ユニットがソフトウェア機能ユニットの形式で実現されてかつ独立した製品として販売又は使用される場合、パソコン読取可能記憶媒体中に記憶されてもよい。このような理解に基づき、本発明は、コンピュータプログラムにより関係のハードウェアを命令し、上記の実施例方法におけるの全部又は一部のプロセスを実現することができる。前記コンピュータプログラムは、コンピュータ読取可能記憶媒体中に記憶され、プロセッサに実行される際に上記の各実施例方法のステップを実現する。そのうち、前記コンピュータプログラムは、コンピュータプログラムコードを含む。前記コンピュータプログラムコードは、ソースコード、オブジェクトコード、実行可能ファイル、又はある中間形式等であってもよい。前記コンピュータ読取可能記憶媒体は、コンピュータプログラムコードを記憶できるあらゆる実体又は装置、記憶媒体、ＵＳＢメモリ、ポータブルハードディスク、磁気ディスク、光ディスク、コンピュータメモリ、読込専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、電気搬送波信号、電信信号、又はソフトウェア分配媒体等の様々な媒体を含んでも良い。前記コンピュータ読取可能記憶媒体に含まれるコンテンツは、司法管轄分野内の立法及び特許実践の要求に応じて増加又は減少しても良い。例えば、ある司法管轄分野内に、立法及び特許実践に基づき、コンピュータ読取可能記憶媒体は、電気搬送波信号、電信信号を含まない。
【００６９】
上記の実施例は、本発明を説明するためのものに過ぎず、限定するためのものではない。上記の実施例を参照して本発明を詳細に説明したが、当業者であれば、依然として上記の各実施例に記載の技術的解決手段を修正し、又はそのうちの一部の技術的特徴に対して等価取替を行うことができる。これらの修正及び等価取替は、相応する技術的解決手段の本質が本発明の各実施例の技術的解決手段の精神及び範囲を逸脱せず、本発明の保護範囲に含まれるはずである。
【図１】
2019186932.tif 000003
【図２】
2019186932.tif 000004
【図３】
2019186932.tif 000005
【図４】
2019186932.tif 000006
【図５】
2019186932.tif 000007
【図６】
2019186932.tif 000008
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
端末装置が検索して且つデュアルモードブルートゥース装置と第１ブルートゥースモードの接続関係を確立するというステップと、
前記デュアルモードブルートゥース装置の標識情報を取得するというステップと、
前記標識情報に基づいて前記デュアルモードブルートゥース装置と第２ブルートゥースモードの接続関係を確立するというステップと、を含み、
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである、ことを特徴とするブルートゥース接続方法。
【請求項２】
前記デュアルモードブルートゥース装置の標識情報を取得するというステップは、
前記デュアルモードブルートゥース装置が低消費電力ブルートゥースモードに送信したブロードキャストパケットを取得することと、
前記ブロードキャストパケットに基づいて前記デュアルモードブルートゥース装置の標識情報を取得することとを含む、ことを特徴とする請求項１に記載のブルートゥース接続方法。
【請求項３】
前記第１ブルートゥースモードがクラシックブルートゥースモードである場合に、前記標識情報に基づいて前記デュアルモードブルートゥース装置と第２ブルートゥースモードの接続関係を確立するというステップは、
低消費電力ブルートゥースモードを起動するデュアルモードブルートゥース装置からその標識情報が前記ブロードキャストパケットに基づいて取得した標識情報と同じであるデュアルモードブルートゥース装置を検索し、前記デュアルモードブルートゥース装置にすることと、
前記デュアルモードブルートゥース装置の低消費電力ブルートゥースモードとの接続関係を確立することとを含む、ことを特徴とする請求項２に記載のブルートゥース接続方法。
【請求項４】
前記第１ブルートゥースモードが低消費電力ブルートゥースモードである場合に、前記標識情報に基づいて前記デュアルモードブルートゥース装置と第２ブルートゥースモードの接続関係を確立するというステップは、
クラシックブルートゥースモードを起動するデュアルモードブルートゥース装置からその標識情報が前記ブロードキャストパケットに基づいて取得した標識情報と同じであるデュアルモードブルートゥース装置を検索し、前記デュアルモードブルートゥース装置にすることと、
前記デュアルモードブルートゥース装置のクラシックブルートゥースモードとの接続関係を確立することとを含む、ことを特徴とする請求項２に記載のブルートゥース接続方法。
【請求項５】
前記標識情報は、
前記デュアルモードブルートゥース装置の名称又は／及び、
前記デュアルモードブルートゥース装置がクラシックブルートゥースモードにある場合のクラシックブルートゥースアドレスとを含む、ことを特徴とする請求項１に記載のブルートゥース接続方法。
【請求項６】
前記デュアルモードブルートゥース装置が第１低消費電力ブルートゥースアプリケーションをサポートし、前記デュアルモードブルートゥース装置の標識情報を取得し、前記標識情報に基づいて前記デュアルモードブルートゥース装置と第２ブルートゥースモードの接続関係を確立するというステップは、
前記インテリジェントターミナルの前記第１低消費電力ブルートゥース機能のアプリケーションは、受信したブロードキャストパケットに基づいて第２ブルートゥースモードを起動してかつ前記第１低消費電力ブルートゥースアプリケーションをサポートするデュアルモードブルートゥース装置を検索することと、
検索されたデュアルモードブルートゥース装置の標識情報を既に前記インテリジェントターミナルと第１ブルートゥースモードの接続関係を確立したデュアルモードブルートゥース装置の標識情報とマッチングすることと、
マッチングしたデュアルモードブルートゥース装置と前記第２ブルートゥースモードの接続関係を確立すること、とを含む、
ことを特徴とする請求項１に記載のブルートゥース接続方法。
【請求項７】
前記第１低消費電力ブルートゥースアプリケーションは、心拍数測定を含む、
ことを特徴とする請求項６に記載のブルートゥース接続方法。
【請求項８】
前記デュアルモードブルートゥース装置がブルートゥースモードを起動した後、端末装置と第１ブルートゥースモードの接続関係を確立することと、
前記デュアルモードブルートゥース装置の標識情報を前記端末装置に送信することと、
前記標識情報に基づいて前記デュアルモードブルートゥース装置と第２ブルートゥースモード接続関係を確立するように前記端末装置を指示することと、含み、
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである、ことを特徴とするブルートゥース接続方法。
【請求項９】
前記デュアルモードブルートゥース装置の標識情報を送信するというステップは、
デュアルモードブルートゥース装置の低消費電力ブルートゥースモード下に出力したブロードキャストパケットを送信し、前記ブロードキャストパケットは、前記デュアルモードブルートゥース装置の標識情報及び前記デュアルモードブルートゥース装置を指示して第１低消費電力ブルートゥースアプリケーションをサポートするための情報を携帯すること、とを含む、
ことを特徴とする請求項８に記載のブルートゥース接続方法。
【請求項１０】
前記第１低消費電力ブルートゥースアプリケーションは、心拍数測定を含む、
ことを特徴とする請求項９に記載のブルートゥース接続方法。
【請求項１１】
ブルートゥース接続装置は、
端末装置と、
デュアルモードブルートゥース装置と、を含み、
その中、
前記端末装置は、
端末装置が検索して且つデュアルモードブルートゥース装置と第１ブルートゥースモード接続関係を確立するための第１接続モジュールと、
前記デュアルモードブルートゥース装置の標識情報を取得するための取得モジュールと、
前記標識情報に基づいて前記デュアルモードブルートゥース装置と第２ブルートゥースモード接続関係を確立するための第２接続モジュールと、を含み、
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つであり、
前記デュアルモードブルートゥース装置は、
デュアルモードブルートゥース装置がブルートゥースモードを起動した後、端末装置と第１ブルートゥースモードの接続関係を確立するためのブルートゥースモード起動モジュールと、
前記デュアルモードブルートゥース装置の標識情報を前記端末装置に送信するための送信モジュールと、
前記標識情報に基づいて前記デュアルモードブルートゥース装置と第２ブルートゥースモード接続関係を確立するように前記端末装置を指示するための指示モジュールと、を含み、
そのうち、前記第１ブルートゥースモードは、前記デュアルモードブルートゥース装置のクラシックブルートゥースモードと低消費電力ブルートゥースモードとの中の一つであり、前記第２ブルートゥースモードは、前記デュアルモードブルートゥース装置のクラシックブルートゥースモードと低消費電力ブルートゥースモードとの中の別の一つである、ことを特徴とするブルートゥース接続装置。
【請求項１２】
前記取得モジュールは、
前記デュアルモードブルートゥース装置が低消費電力ブルートゥースモードで送信したブロードキャストパケットを取得するためのブロードキャストパケット送信ユニットと、
前記ブロードキャストパケットに基づいて前記デュアルモードブルートゥース装置の標識情報を取得するための標識情報取得ユニットとを含む、ことを特徴とする請求項１１に記載のブルートゥース接続装置。
【請求項１３】
前記第１ブルートゥースモードがクラシックブルートゥースモードである場合に、前記第２接続モジュールは、
すでに接続されたクラシックブルートゥースモードに基づいて前記デュアルモードブルートゥース装置の標識情報を取得し、前記デュアルモードブルートゥース装置の標識情報が前記ブロードキャストパケットに基づいて取得した標識情報と同じかどうかを比較と判断するための比較ユニットと、
両者が合致する場合に前記デュアルモードブルートゥース装置と低消費電力ブルートゥースモードの接続関係を確立するための関係確立ユニットとを含む、ことを特徴とする請求項１１に記載のブルートゥース接続装置。
【請求項１４】
メモリと、
プロセッサと、
前記メモリに記憶されてかつ前記プロセッサに実行されたコンピュータプログラムと、を含み、
前記プロセッサが前記コンピュータプログラムを実行する際に請求項１から請求項１０のいずれか一項に記載の前記方法におけるステップを実現する、ことを特徴とするインテリジェントターミナル。
【請求項１５】
コンピュータプログラムを記憶し、
前記コンピュータプログラムがプロセッサに実行される際に請求項１から請求項１０のいずれか一項に記載の前記方法におけるステップを実現する、ことを特徴とするコンピュータ可読記憶媒体。
【外国語明細書】
2019186932000001.pdf